(57)【特許請求の範囲】
【請求項１】
組立て式構造体の２つのパネル同士を互いに固定させるのに適した解放可能なクリップであって、
前記解放可能なクリップが、互いに離れるように延在する２つの脚部を備え、
前記脚部は一方の端部にて連結され、各脚部は、パネル係合形状部にて終端する反対側の自由端を有し、
前記クリップが、前記脚部のうちの少なくとも一方に変位可能に連結されている係合解除部材を備えており、前記係合解除部材は、レスト位置と解放位置との間で前記脚部に対して変位可能であり、前記レスト位置では、前記係合解除部材が、前記脚部に設けられた係合形状部と干渉せず、前記解放位置では、前記係合解除部材が、解放力を前記脚部の前記係合形状部に加えることができるように配置され、
前記係合解除部材は、前記係合解除部材が前記解放位置にある際に前記レスト位置から更に離れるように変位するときに、前記係合形状部に解放力を加えるように構成されていることを特徴とする、解放可能なクリップ。
【請求項２】
前記係合解除部材は、レバー構成体の形態であり、前記係合解除部材が連結されている前記脚部の一部分は、前記レバー構成体の支点を形成し、前記係合形状部は、前記レバー構成体によって変位する作用点であることを特徴とする、請求項１に記載の解放可能なクリップ。
【請求項３】
前記係合解除部材は、前記レスト位置と前記解放位置との間で枢動可能に変位することができることを特徴とする、請求項２に記載の解放可能なクリップ。
【請求項４】
前記係合解除部材は、ハンドル部及び作動部を備えており、前記ハンドル部と前記作動部との間に枢軸ゾーンが位置することを特徴とする、請求項３に記載の解放可能なクリップ。
【請求項５】
前記枢軸ゾーンは、前記係合解除部材が前記解放位置にあるときに、前記レバー構成体の前記支点を形成する前記脚部の前記一部分に当接することを特徴とする、請求項４に記載の解放可能なクリップ。
【請求項６】
前記枢軸ゾーンは、前記係合解除部材が前記解放位置にあるときに、前記脚部の端部とそこから延在する前記係合形状部との間に形成された角部に当接することを特徴とする、請求項５に記載の解放可能なクリップ。
【請求項７】
前記係合解除部材は、格納位置へ向かって変位可能であり、前記格納位置では、前記係合解除部材が、前記係合解除部材が連結されている前記脚部に対して実質的に垂直な向きで位置決めされることを特徴とする、請求項１から６のうちの何れか一項に記載の解放可能なクリップ。
【請求項８】
前記係合形状部は、前記係合解除部材が連結されている前記脚部の前記自由端に形成されており、前記自由端は、一続きのアーチ状の把持形状部に形成されており、
前記係合形状部は、前記脚部から横方向に延在する第一の部分と、前記把持形状部の前記第一の部分に対して鋭角に屈曲した第二の部分と、前記係合形状部の前記第二の部分から横方向に延在する第三の部分と、を備えており、
前記把持形状部の前記第二の部分の近位ゾーンは、ポケットを第一のポケットと第二のポケットとに分けるために、前記ポケットの内側の方へ屈曲されており、
前記係合解除部材の前記作動部は、前記係合形状部によって画定された前記第一のポケット及び前記第二のポケットのうちの一方の内側に位置していることを特徴とする、請求項４から６のうちの何れか一項に記載の解放可能なクリップ。
【請求項９】
互いに隣接して位置する少なくとも２つのパネルであって、各パネルのエッジゾーンに固定用溝が設けられている、パネルと、
解放可能なクリップと、
を備える、組立て式構造体であって、
前記解放可能なクリップが、
互いに離れるように延在する２つの脚部であって、前記２つの脚部が、前記脚部を互いに対して弾力的に変位可能にするために、一方の端部で互いに弾力的に連結され、
各脚部が自由端を有し、前記自由端が、前記パネルの固定用溝に係合させるのに適したパネル係合形状部にて終端している、脚部と、
前記脚部のうちの少なくとも一方に変位可能に連結されている係合解除部材であって、前記係合解除部材は、レスト位置と解放位置との間で前記脚部に対して変位可能であり、前記レスト位置では、前記係合解除部材が、前記脚部に設けられた係合形状部と干渉せず、前記解放位置では、前記係合形状部を、前記パネルに設けられた前記固定用溝から係合解除させるために、前記係合解除部材が、前記脚部の前記係合形状部に解放力を加えることができるように配置される、係合解除部材と、
を備えることを特徴とする、組立て式構造体。
【請求項１０】
組立て式構造体のパネルから解放可能なクリップを取り外す方法であって、
解放可能なクリップを提供するステップであって、前記解放可能なクリップが、
互いに離れるように延在する２つの脚部であって、前記２つの脚部が、前記脚部が互いに対して弾力的に変位可能にするために、一方の端部で互いに弾力的に連結され、各脚部が自由端を有し、前記自由端がパネル係合形状部にて終端している、脚部、及び
前記脚部のうちの少なくとも一方に変位可能に連結されている係合解除部材であって、前記係合解除部材は、レスト位置と解放位置との間で前記脚部に対して変位可能であり、前記レスト位置では、前記係合解除部材が、前記脚部に設けられた係合形状部と干渉せず、前記解放位置では、前記係合解除部材が、前記脚部の前記係合形状部に解放力を加えることができるように配置される、係合解除部材、
を備える、ステップと、
前記組立て式構造体の前記パネルに設けられた固定用溝から係合解除させるために、前記係合解除部材が解放力を前記係合形状部に加えるまで、前記係合解除部材を変位させるステップと、
を含むことを特徴とする、方法。
【請求項１１】
前記係合解除部材は、まず前記レスト位置から前記解放位置まで変位し、次に、前記解放位置からの更なる変位によって、結果的に解放力が前記係合形状部に加えられることになることを特徴とする、請求項１０に記載の方法。
【請求項１２】
前記組立て式構造体が折畳み式コンテナであることを特徴とする、請求項１０又は１１に記載の方法。
【発明の詳細な説明】
【技術分野】
【０００１】
本発明は、組立て式構造体用のクリップに関するものであり、より詳細には、限定するものではないが、折畳み式コンテナの隣接するパネル同士を互いに固定させるのに使用するための弾性金属クリップに関する。
【背景技術】
【０００２】
木枠および箱などのコンテナ（本明細書ではこれらの用語は互換的に使用される）は、多数の異なる産業で商品の輸送のために広く使用される一方で、多数の異なる輸送モードが利用される。高重量の荷物を搬送する場合には、箱は、例えば厚板または合板パネルの形態の木製シートの形態などの木材からしばしば作製され、これらの木材は、釘、ねじ、および締め付けバンドにより互いに固定されて包囲された容積を形成する。
【０００３】
殆どのコンテナは、１回のみの使用のためのものであり、輸送商品が目的地に到着した後に廃棄される。この手順は、経済的、環境的、および安全上の理由から望ましくないものと見なされつつある。使用済みコンテナの分解、再利用、撤去、破壊、および処理は、コンテナの利用者にいくつかのリスクをもたらす。例えば、箱が、分解の容易性を最終目的として考慮して設計および構築されたものでない場合には、人々が、箱の分解工程において負傷する恐れがある。再利用のために材料を処理することもまた、構成パーツ（すなわち木製構成要素および鋼固定具）が再生工程の一部として慎重に分離されなければならないことが少なくとも一部の原因となることによって、多大な時間および費用を必要とする。さらに、エンドユーザが供給業者から多数の商品およびパーツを受領する、ならびにこれらの製品がプラスチック製、金属製、または木製のコンテナで配送される業界では、包装材料は、すぐに山積み状態になる恐れがあり、これにより取扱いおよび保管のコストが著しく増大する。
【０００４】
近年では、上記の懸案から、結果として折畳み式コンテナが展開および使用されてきた。これらのコンテナは、容易に組み立てられて小さなまたは大きなコンテナを形成することが可能であり、これは、典型的には釘、ハンマー、または木製コンテナの組立てに関連する他の従来の工具および設備を使用することなく１人で行うことが可能である。これらの木製コンテナの多くは、２つの隣接し合う木製パネルを相互に固定するために、クリップが固定的にしかし解放可能になされた特殊クリップのシステムを使用する。このようにすることで、コンテナの側壁部は、複数のクリップを利用して相互におよび底部に連結される。次いで、蓋が、相互連結された側壁部の対向側端部に固定可能となり、それによりフォークリフトによる取扱いが可能な完成した輸送コンテナが形成される。
【０００５】
コンテナにより搬送されることとなる荷物がかなりの重量となる用途では、クリップ組立てコンテナは、依然としてあらゆる通常の取扱い動作および輸送動作の最中に耐久性を確保する設計のものでなければならない。これはつまり、コンテナを組み立てるために使用されるクリップが、箱により搬送される荷物と、例えば箱が荷積み、輸送、および保管の最中に弾む、振動する、または手荒く取り扱われる場合など箱が外力にさらされる場合にクリップに加えられる追加の衝撃力との両方に耐えるのに十分な強度でなければならないことになる。結果として、殆どの一般的なクリップは、典型的には１〜２ｍｍ厚のおよび２０〜６０ｍｍ幅の高強度鋼から作製される。また、クリップは、可撓性の高強度ばねクリップを作成するためにしばしば熱処理される。
【０００６】
現在では、望ましい形に曲げられたばね鋼は、切断、曲げ、および表面処理のみが必要とされるため、結果的に最も単純な設計となり、それ故に、生産が最も安価である。複雑性が低いことにより、時間が経過しても正確な機能が確保されるため、生産業者は、複雑性が高いことにより信頼性に悪影響を及ぼす恐れのあるより複雑なクリップの導入には躊躇いがある。
【０００７】
これらの折畳み式コンテナの寿命を最大限に延ばすためには、木製パネルが良好な条件に維持されることが重要となる。特に、木製パネルのエッジゾーンに設けられた連結溝が、損傷および摩耗から保護されることが重要である。これは、適切なクリップ設計により部分的に達成することが可能であるが、この場合に、設計は、好ましくはクリップが木製パネルに固定される場合に、クリップの先鋭エッジが木製パネル中に設けられた溝に係合しないようなものであるべきである。この理由により、殆どのクリップは、木材に直接係合する先鋭自由端部を有さず、代わりに、安全にならびに脆弱な木材表面上における摩擦を低減させかつ過剰にクランプ力を犠牲にすることなくエッジをロックしつつクリップを摺動させ得る曲がった丸みのある端部にて終端する。この設計のクリップは、２つの両側の脚部（１０１および１０２）を画定するために直角に曲げられた金属シートを備えるクリップ１００を図示する図１および図２に示される。各脚部は、木製パネル１０５中に設けられたスロット１０４に使用中に係合する丸みのある端部１０３にて終端する。
【０００８】
組み立てられた場合に、クリップは、隣接し合うパネル間の相対的な角度変位により引き起こされる曲げモーメント、およびさらには隣接し合うパネルの相対的な横方向変位の結果として生じる剪断力を含む、様々な力にさらされる。これは、漸増的な荷重および一定の荷重に限定されず、追加的な衝撃荷重が、箱および内容物が衝撃、衝突、および振動を被る箱の取扱いならびに輸送の最中にクリップに加えられ得る。したがって、クリップは、非常に強力でなければならず、隣接するパネルに対してかなりのクランプ力を加えなければならない。したがって、クリップの端部は、パネル中の溝に固定的に係合しなければならないことになる。必要とされる係合は、クリップが後に取り外されることになるときに、終了時点での課題を引き起こす。ユーザは、クリップの端部を溝から取り外すために、特別な道具を使用する必要がある。その道具が手に入るならば、これは大きな問題とならない。しかしながら、その特別な道具は、しばしば、輸送中に紛失したり動かされたりし、それによって、クリップの取り外しが問題になることがある。結果として、エンドユーザは、そのとき、クリップを取り外すために、例えばナイフや、ねじ回し、バールなどの他の道具に頼ることを余儀なくされる。これらの道具はクリップの取り外しに向いていないので、それらは、上述した時間及び効率の損失に加えて、エンドユーザに重傷を負わせる危険性を引き起こす。
【発明の概要】
【発明が解決しようとする課題】
【０００９】
したがって、本発明の目的は、少なくとも部分的に上記の欠点を軽減する、例えば折畳み式コンテナなどの組立て式構造体のための解放可能なクリップを提供することである。
【００１０】
また、本発明の目的は、既存の解放可能なクリップの代替として有用な、例えば折畳み式コンテナなどの組立て式構造体のための解放可能なクリップを提供することである。
【００１１】
本発明のさらなる目的は、例えば折畳み式コンテナなどの組立て式構造体のための解放可能なクリップであって、クリップの一部を形成していてクリップを折畳み式コンテナから取り外すのに使用することができる係合解除部材を備える解放可能なクリップを提供することである。
【課題を解決するための手段】
【００１２】
本発明によれば、組立て式構造体の２つのパネル同士を互いに固定させるのに適した解放可能なクリップが提供され、その解放可能なクリップは、
互いに離れるように延在する２つの脚部であって、２つの脚部が、脚部を互いに対して弾力的に変位可能にするために、一方の端部で互いに弾力的に連結され、各脚部が自由端を有し、その自由端が、パネル係合形状部にて終端している、脚部と、
一方の脚部に変位可能に連結される係合解除部材であって、係合解除部材が、レスト位置と解放位置との間で脚部に対して変位可能であり、レスト位置では、係合解除部材が、脚部に設けられた係合形状部と干渉せず、解放位置では、係合解除部材の少なくとも一部分が、解放力を脚部の係合形状部に加える、係合解除部材と、
を備える。
【００１３】
係合解除部材は、係合解除部材が解放位置にある際にレスト位置から更に離れるように変位するときに係合部材に解放力を加えるように構成される。
【００１４】
好ましくは、係合解除部材はレバー構成体を形成しており、係合解除部材が連結される脚部の一部分は支点を形成し、係合解除部材の少なくとも一部分によって係合された係合形状部は、レバー構成体によって変位する作用点である。
【００１５】
係合解除部材は、クリップの脚部に枢動可能に連結されてもよく、とりわけ、レスト位置と解放位置との間で枢動可能に変位することができるようにしてもよい。
【００１６】
係合解除部材は、ハンドル部及び作動部を備え、ハンドル部と作動部との間に枢軸ゾーンが位置してもよい。
【００１７】
係合解除部材の枢軸ゾーンは、係合解除部材が解放位置にあるときに係合解除部材が連結される脚部の一部分に当接する。
【００１８】
好ましくは、係合解除部材の枢軸ゾーンは、係合解除部材が解放位置にあるときに脚部の端部とそこから延在する係合形状部との間に形成された角部に当接する。
【００１９】
本発明の更なる特徴は、係合解除部材が、格納位置へ向かって変位可能であり、格納位置では、係合解除部材が、係合解除部材が連結される脚部に対して実質的に垂直な向きで位置決めされることである。
【００２０】
係合形状部は、係合解除部材が連結される脚部の自由端に形成されており、自由端は、一続きのアーチ状の把持形状部に形成されている。
【００２１】
把持形状部は、脚部から横方向に延在する第一の部分と、把持形状部の第一の部分に対して鋭角に屈曲した第二の部分と、把持形状部の第二の部分から横方向に延在する第三の部分と、を備えてもよい。
【００２２】
把持形状部の第三の部分は、リップ形状部を形成しており、リップ形状部は、把持形状部の第二の部分の端部から脚部の方へ戻るように延在してもよく、そうすることで、把持形状部の第一の部分及び第二の部分によって形成された開いたポケットを部分的に横断して延在する。
【００２３】
把持形状部の第二の部分の近位ゾーンは、ポケットを第一のポケットと第二のポケットとに分けるために、ポケットの内側の方へ屈曲されてもよい。
【００２４】
作動部は、ハンドル部から横方向に延在してもよく、使用時に、係合形状部の内側に位置してもよい。
【００２５】
とりわけ、作動部は、係合形状部によって画定された一方のポケットの内側に位置している。
【００２６】
作動部の端部は、係合解除部材が解放位置にあるときに、係合解除部材の更なる変位のために、リップ形状部に当接し、結果的に、リップ形状部が変位する、すなわち、係合形状部が変位する。
【００２７】
作動部は、解放位置にあるときに第二のポケットの内側に位置することができ、レスト位置にあるときに第一のポケットの内側に位置することができる。
【００２８】
ハンドル部は、係合解除部材がレスト位置にあるとき、第二の脚部と実質的に平行、又は同一平面上にある。
【００２９】
ハンドル部は、係合解除部材が解放位置にあるとき、脚部から横方向に延在している。
【００３０】
本発明の更なる特徴は、係合解除部材が連結される脚部に片持ち延在部が形成されていることである。
【００３１】
片持ち延在部を受容するための形状及び寸法になっているスロットが、係合解除部材、とりわけ、係合解除部材の枢軸ゾーンに設けられてもよい。
【００３２】
片持ち延在部は、弾力性があり、係合解除部材がレスト位置、解放位置、又は格納位置にあるときに、安定させる力を係合解除部材に加える。
【００３３】
好ましくは、片持ち延在部は、係合解除部材に設けられたスロットのエッジに力を加えるように構成されている。
【００３４】
片持ち延在部は、脚部の中央から延在し、片持ち延在部の両側方に位置する係合形状部の対向部分があってもよい。
【００３５】
片持ち延在部は、係合形状部を、離間して対向する２つの係合形状部に分けており、２つの係合形状部は、それらの間に設けられた隙間を有している。
【００３６】
フランジが係合解除部材の作動部から延在していてもよく、このフランジは、使用時に、クリップの脚部に対する係合解除部材の側方移動を防止するために、、２つの離間した係合形状部の間の隙間内に突出する
【００３７】
フランジは、係合解除部材の作動部に対して同一平面上にすることができるが、フランジは、作動部から延在し、部分的にだけその作動部と同じ幅になっている。
【００３８】
第二の脚部には、肩形状部が、２つの離間した係合形状部の内側で係合形状部に隣接して設けられており、係合解除部材が格納位置まで変位するときに、係合解除部材の更なる変位を制限するために、係合解除部材の作動部から延在するフランジの端部が肩形状部に当接する。
【００３９】
片持ち延在部の自由端は、片持ち延在部から横方向に延在するリップ形状部にて終端してもよい。
【００４０】
第二の係合形状部は、一続きの把持形状部に形成された他方の脚部の自由端によって画定されている。
【００４１】
把持形状部は、脚部から横方向に延在する第一の部分と、把持形状部の第一の部分に対して或る角度で屈曲された第二の部分と、を備えてもよい。
【００４２】
係合形状部は、横断面視において、実質的にＵ形、Ｖ形、又はＣ形になり得る。
【００４３】
クリップの脚部は、少なくとも部分的に弾力性がある材料のストリップから一体的に形成される。
好ましくは、脚部は、単一の金属ストリップから形成される。
【００４４】
クリップの脚部同士は、それらが或る角度を成すように配置され得る。
【００４５】
好ましくは、脚部同士は互いに横断する。
より好ましくは、脚部同士は、それらが成す角度が７０度から１００度までの間となるように配向されている。
【００４６】
本発明の更なる態様によれば、折畳み式コンテナが提供されており、折畳み式コンテナは、
互いに隣接して位置する少なくとも２つのパネルであって、各パネルのエッジゾーンに固定用溝が設けられている、パネルと、
解放可能なクリップと、
を備えており、
解放可能なクリップが、
互いに離れるように延在する２つの脚部であって、２つの脚部が、脚部を互いに対して弾力的に変位可能にするために、一方の端部で互いに弾力的に連結され、各脚部が自由端を有し、自由端が、パネルの固定用溝に係合させるのに適したパネル係合形状部にて終端している、脚部と、
脚部のうちの少なくとも一方に変位可能に連結される係合解除部材であって、係合解除部材は、レスト位置と解放位置との間で脚部に対して変位可能であり、レスト位置では、係合解除部材が、脚部に設けられた係合形状部と干渉せず、解放位置では、係合形状部を、パネルに設けられた固定用溝から係合解除させるために、係合解除部材が、脚部の前記係合形状部に解放力を加えることができるように配置される、係合解除部材と、
を備える。
【００４７】
折畳み式コンテナは、上述されたような解放可能なクリップを備える。
【００４８】
本発明の更なる態様によれば、折畳み式コンテナのパネルから解放可能なクリップを取り外す方法が提供されており、この方法は、
解放可能なクリップを提供するステップであって、解放可能なクリップが、
互いに離れるように延在する２つの脚部であって、２つの脚部が、脚部が互いに対して弾力的に変位可能にするために、一方の端部で互いに弾力的に連結され、各脚部が自由端を有し、その自由端がパネル係合形状部にて終端している、脚部、及び
脚部のうちの少なくとも一方に変位可能に連結される係合解除部材であって、係合解除部材は、レスト位置と解放位置との間で脚部に対して変位可能であり、レスト位置では、係合解除部材が、脚部に設けられた係合形状部と干渉せず、解放位置では、係合解除部材が、脚部の係合形状部に解放力を加えることができるように配置される、係合解除部材
を備える、ステップと、
折畳み式コンテナのパネルに設けられた固定用溝から係合解除させるために、係合解除部材が解放力を係合形状部に加えるまで、係合解除部材を変位させるステップと、を含む。
【００４９】
その方法の更なるステップとしては、係合解除部材は、まずレスト位置から解放位置まで変位し、次に、解放位置からの更なる変位のために、結果的に解放力が係合形状部に加えられることである。
【００５０】
本発明の好ましい一実施形態が、非限定的な例として、および添付の図面を参照として説明される。
【図面の簡単な説明】
【００５１】
【図１】先行技術のクリップの斜視図である。
【図２】使用中の図１のクリップの側方断面図である。
【図３】本発明の一実施形態によるクリップの分解斜視図である。
【図４】取り外されたクリップの片持ち延在部を明瞭に示している、図３のクリップの一部分の拡大図である。
【図５】クリップの係合解除部材がレスト位置にある状態の、本発明による組み立てられたクリップの斜視図である。
【図６】係合解除部材が解放位置にある状態の図５のクリップの図である。
【図７】係合解除部材が格納位置にある状態の図５のクリップの図である。
【図８】図５のクリップの一部分の側面図である。
【図９】図６のクリップの一部分の側面図である。
【図１０】図７のクリップの一部分の側面図である。
【発明を実施するための形態】
【００５２】
同様の特徴に同様の符号を付した図３から図１０を参照すると、本発明に従う折畳み式コンテナのための解放可能なクリップの非限定的な実施例は、参照符号１０で示されている。
【００５３】
解放可能なクリップ１０は、レスト位置（図５及び図８）、解放位置（図６及び図９）、及び格納位置（図７及び図１０）の間で変位可能にするために、クリップ本体２０と、クリップ本体２０に枢動可能に連結された係合解除部材３０と、を備える。明細書の文脈においては、「連結され（る）」という用語は、係合解除部材がクリップの本体に対して機械的に固定されることを必ずしも意味するとは限らないが、クリップの本体に対する係合解除部材の動作が少なくとも部分的に制約され、それによって、係合解除部材がクリップの本体に作動するように結合されるを暗示する。
【００５４】
図３から図１０に示された実施形態では、クリップ本体２０は、第一の脚部２１及び第二の脚部２３を形成するために実質的にＬ字形の構造に曲げられた例えばばね鋼などの弾力性材料の単一のシートからできている。第一の脚部２１及び第二の脚部２３は、それらが成す角度を鋭角にして配置されているが、その角度は、異なる適用ごとに異なっていてもよく、クリップ１０によって保持されるべきパネルの形状に応じて、１８０度から９０度よりも小さい角度まで変化させることができる。具体的な実施例に示されたようなクリップ１０は、パネル同士を直角に固定するように設計されているが、同じ構想が、パネル間の角度が９０度よりも小さかったり９０度よりも大きかったりする場合にも適用されるであろう。
【００５５】
クリップ本体２０の第一の脚部２１は、第二の脚部２３に固定され、又は第二の脚部２３から延在する接続端２１．１と、自由端２１．２と、を備える。自由端２１．２は、第一の係合形状部２２で終端し、第一の係合形状部２２は、当該技術分野で公知であるように使用時にパネルのエッジゾーンに設けられた相補的な溝と係合するように適合されている。第一の係合形状部２２は、アーチ構造に形成された第一の脚部の自由端によって形成されており、それは、側方から見たときに実質的にＵ形、Ｖ形、又はＣ形になり得る。第一の係合形状部２２は、第一の脚部２１から横方向に、この場合では実質的に垂直に延在する第一の部分２２．１と、顎部２２．３を形成するために第一の部分２２．１から鋭角に延在する第二の部分２２．２と、を備えており、顎部２２．３は、図２の従来形状と同様に、使用時に、パネルに設けられた溝の内側表面に当接する。
【００５６】
また、クリップ本体の第二の脚部２３は、第一の脚部２１に固定され、又は第一の脚部２１から延在する接続端２３．１と、反対側の自由端２３．２と、を備える。第二の脚部２３の近位ゾーンには、クリップ取外し翼部２３．３が設けられており、これは、当該技術分野で公知であるように、特製の外部道具を用いてクリップを取り外すために設けられている。
【００５７】
離間した２つの第二の係合形状部２４が、結果的に生じる隙間２７が２つの係合形状部の間に形成された状態で、第二の脚部２３の両側の縁部の方に設けられている。各第二の係合形状部２４は、アーチ構造に形成された第二の脚部２３の自由端によって形成されており、それは、側方から見たときに部分的に三角形になり得る。第二の係合形状部２４は、第二の脚部２３から横方向に、この場合では実質的に垂直に延在する第一の部分２４．１と、顎部２４．８を形成するために第一の部分２４．１から鋭角に延在する第二の部分２４．２と、を備えており、顎部２４．８は、図２の従来形状と同様に、使用時に、パネルに設けられた溝の内側表面に当接する。また、第二の係合形状部２４は、リップ形状部の形態の第三の部分２４．３を備えており、それは、第二の部分２４．２の端部から第二の脚部２３の方へ戻るように延在している。リップ形状部２４．３は、第一の部分２４．１及び第二の部分２４．２によって画定されたポケットを部分的に横断しており、さらに、第一の脚部２１と実質的に同一平面上にあるか、若しくは、少なくとも第一の脚部２１と実質的に平行している。第二の係合形状部２４の第二の部分２４．２には凹み部２４．４が形成されており、凹み部２４．４が、第二の係合形状部によって形成されたポケットを第一のポケット２４．５と第二のポケット２４．６とに分けている。
【００５８】
肩形状部２５は、２つの第二の係合形状部２４の各々に隣接して２つの第二の係合形状部２４の各々から内側に向かって設けられている。各肩形状部は、丸みのある上面２５．１を備えており、その上面２５．１は、第二の脚部２３と第二の係合形状部２４との間の移行ゾーンの当初の曲率に沿っている。ただし、肩形状部２５は、第二の係合形状部２４の第一の部分２４．２に沿って延在してなく、むしろ、第二の脚部２３の底面と同一平面上にある平坦な当接面２５．２で終端する。
【００５９】
片持ち延在部２６は、クリップ本体２０の第二の脚部２３から延在しており、２つの第二の係合形状部２４の間に位置する。片持ち延在部２６は、第二の脚部２３から延在する接続ゾーン２６．１と、第二の脚部２３と実質的に同じ平面内において第二の脚部２３から離れるように延在する自由端２６．２と、を備える。自由端は、第二の係合形状部２４の先端と整列する湾曲端で終端し、それは、第二の係合形状部２４の先端の輪郭に合致している。片持ち延在部２６の接続ゾーン２６．１は、第二の接続形状部２４と比べて第二の脚部２３の近位ゾーンの方へさらに後退して位置しており、その結果、大きな弾力性が生じることになり、その目的は、以下でクリップ１０の作動原理が詳述されるときに明らかになるであろう。
【００６０】
図３から図１０に示された実施形態では、係合解除部材３０は、実質的にＬ字形のレバーに形成された金属の平面ストリップの形態であり、ハンドル部３１と、ハンドル部３１に対して成す角度が鋭角となるように配置された作動部３２と、を備える。移行ゾーン、すなわち、ハンドル部３１と作動部３２との間の角部は、以下で詳細に説明されるように、使用時に、枢軸ゾーン３３を形成する。作動部３２は、係合解除部材３０が解放位置（図６及び図９）にあるときに第二の係合形状部２４のリップ形状部２４．３に係合するように構成された自由端３２．１で終端する。フランジ３５は、自由端３２．１から延在しており、そのフランジの幅は、自由端３２．１の幅よりも小さい。とりわけ、フランジ３５は、クリップ１０の本体２０に対する係合解除部材３０の側方変位を防ぐため、２つの第二の接続形状部２４の間に形成された隙間２７の内側に嵌合するような形状および寸法になっている。第二の接続形状部２４に対するフランジ３５の角度変位は、フランジ３５の端部３５．１が肩形状部２５の当接面２５．２に当接したときに係合解除部材３０の更なる動作を防止する肩形状部２５によって制限される。
【００６１】
係合解除部材の本体には細長いスロット３４が設けられており、その細長いスロット３４は作動部３２からハンドル部３１内へ延在している。スロットは、係合解除部材３０のハンドル部側にある第一のエッジ３４．１と、係合解除部材３０の作動部側にある第二の端部３４．２と、を備える。スロットは、そこを通して片持ち延在部を受容させるための形状及び寸法になっている。
【００６２】
使用時に、解放可能なクリップ１０は、係合解除部材３０をクリップ本体２０の上に配置することによって組み立てられる。弾力性のある片持ち延在部２６は、係合解除部材３０に設けられたスロット３４を通って突出し、使用時に、係合解除部材をクリップ本体２０に枢動可能に連結させたままにすることができる。とりわけ、係合解除部材３０は、係合解除部材３０にスロット３４が設けられていることによって、片持ち延在部２６に対して、すなわちクリップ本体２０に対して変位できることになる。しかしながら、片持ち延在部２６は、係合解除部材３０をクリップ１０の本体２０に対して作動するように結合させた形態のままにすることができ、また、係合解除部材３０がレスト位置、解放位置、又は格納位置にあるときに、安定させる力を係合解除部材３０上に加えることができる。
【００６３】
片持ち延在部２６が係合解除部材３０を貫通して突出することで、係合解除部材３０とクリップ本体２０との間の側方動作の度合いが制限される。ただし、側方動作はさらに制限され、クリップ本体に対する係合解除部材の安定性が、離間する２つの第二の接続形状部２４の間の隙間２７の中へ延在する係合解除部材３０の作動部３２の自由端３２．１から延在するフランジ３５によって向上される。フランジ３５は、隙間の内側にぴったりと嵌合するが摺動可能であり、クリップ本体２０に対する係合解除部材３０の全ての異なる位置で隙間２７内に残る。
【００６４】
潜在的で付随的な解放の別のモードとしては、格納位置を越える係合解除部材３０の過度の回転変位がある。係合解除部材３０が図１０に示された格納位置を越えて回転されると、係合解除部材が外されることになるかもしれないので、対向する２つの肩形状部２５が設けられており、使用時に、それらの肩形状部２５が、係合解除部材から延在するフランジ３５の端部ゾーン３５．１を止め、そうすることで、クリップ本体２０に対する係合解除部材３０の更なる変位が防止される。
【００６５】
また、片持ちにされた延在部２６は、選択された位置で片持ち延在部を保持するのに重要な役割を果たす。図５及び図８のレスト位置では、片持ち延在部２６は、スロット３４の第二のエッジ３４．２に下向きの力を加えており、それによって、係合解除部材３０の作動部３２が第二の接続形状部２４の第一のポケット２４．５の中に留まることを促している。したがって、係合解除部材３０を解放位置（図６及び図９）または格納位置（図７及び図１０）のどちらかまで変位させるのには、少なくともいくつかの取り組みが必要になる。同様に、係合解除部材が図６及び図９に示されたような解放位置にあるとき、片持ち延在部２６は、中心を越えた時点の係合解除部材３０のスロット３４の第二のエッジ３４．２の内側に下向きの力を加えており、係合解除部材３０の作動部３２が第二の接続形状部２４の第二のポケット２４．６の中に留まることを促している。ハンドル部３１の更なる変位は、作動部３２を第二の接続形状部のリップ形状部２４．３に係合させて最終的には変位させるが、そのような更なる変位は、実際は、片持ち延在部２６によって係合解除部材３０上に加えられたバイアスに逆らって行われ得る。また、解放位置とレスト位置との間の係合解除部材３０の変位は、凹み部２４．４、すなわち、２つのポケット（２４．５及び２４．６）が設けられていることによって妨げられて、それ自体が規制され得る。
【００６６】
係合解除部材が図７及び図１０に示されたような格納位置にあるとき、片持ち延在部２６は、係合解除部材のスロット３４の第二のエッジ３４．２の外側に下向きの力を加えており、係合解除部材３０は、ハンドル部３１が第二の脚部２３に対して実質的に垂直になっている位置で保持される。この位置では、当該技術分野で公知であるようにコンテナが折り畳まれて積み重ねられた形態で輸送される際、ハンドル部は、積み重ねられたパネルのうちの上側のパネルの上に載せられて少なくともある程度の締結力を加えることができる。したがって、少なくとも、係合解除部材のハンドル部が、クリップ１０から盛り上がってなく、そのため、折り畳まれたコンテナの輸送中に損傷したり折れたりする危険性がないようにすることができる。
【００６７】
使用時に、クリップ１０は、通常の方法で折畳み式コンテナを作り出すパネルに固定することができる。クリップが固定されてコンテナが組み立てられると、各クリップ１０の係合解除部材３０はレスト位置にあり、コンテナのパネルに対して実質的に同一平面上にすることができる。コンテナが開封されたり解体されたり又はその両方が行なわれるときだけ、係合解除部材３０が、片持ち延在部２６によって加えられた初期バイアスに逆らって解放位置まで変位することができる。解放位置では、係合解除部材３０の作動部３２が、第二の接続形状部２４上のリップ形状部２４．３に当接する（ほぼ当接する）ことができ、このとき、実際には、解放力が加えられない。しかしながら、係合解除部材３０は、ここで、第二の接続形状部に開封力を加えるように準備され、それは、その後、更なる力がハンドル部３１に加えられたときに起こり得る。係合解除部材３０の枢軸ゾーン３３は、第二の脚部２３と第二の接続形状部２４との間の移行部に形成された角部２３．５に当接することができ、係合解除部材３０のための支点として機能することができる。したがって、ハンドル部３１に加えられた力を、増幅させて作動部３２に伝達することができ、それは結果的に、リップ形状部２４．３が変位することになり、固定溝内に位置している第二の接続形状部２４を、その固定溝から解放させることができる。とりわけ、リップ形状部２４．３は、外方へ作動するように変位することができ、結果的に、第二の係合形状部２４の第一の部分２４．２が、それが係合するパネルの溝の表面から離れるように変位することになる。
【００６８】
新たに改良されたクリップは、追加の外部道具を何も使うことなく、クリップがレスト位置や格納位置にあるときに係合解除部材が支障になることもなく、取外しすることができる点で有用であり得ると、出願人は考える。また、クリップは、不用意に一方から他方へ移動することなく、係合解除部材が選択された位置で留まるようにバイアスされ得る点で安定している。
【００６９】
クリップの用途は、折畳み式コンテナや組立て式コンテナの分野に限定されるものではないと認識されるべきである。クリップは、例えば家具、パーテーション構造体、および他の組立て式建築構造体などの、パネルを相互に解放可能に固定する必要があるあらゆる用途と共に使用され得る。
【００７０】
上記は、本発明の一実施形態にすぎず、本発明の主旨および／または範囲から逸脱することなく多数の変更がなされ得る点が理解されよう。
【符号の説明】
【００７１】
１０  クリップ
２０  クリップ本体（本体）
２１  第一の脚部
２２  第一の係合形状部
２３  第二の脚部
２４  第二の係合形状部
２５  肩形状部
２６  延在部
２７  隙間
３０  係合解除部材
３１  ハンドル部
３２  作動部
３３  枢軸ゾーン
３４  スロット
３５  フランジ
１００  クリップ
１０３  端部
１０４  スロット
１０５  木製パネル
【図１】
0006509227.tif 000002
【図２】
0006509227.tif 000003
【図３】
0006509227.tif 000004
【図４】
0006509227.tif 000005
【図５】
0006509227.tif 000006
【図６】
0006509227.tif 000007
【図７】
0006509227.tif 000008
【図８】
0006509227.tif 000009
【図９】
0006509227.tif 000010
【図１０】
0006509227.tif 000011